(57)【要約】【課題】空調機器の自動制御に用いるセンサーの不必要な起動を抑制して電力消費量を低減することができる空調制御装置を提供する。【解決手段】空調制御装置において、空調機器の稼動スケジュールを予め記憶する空調機器情報記憶手段５ａと、窓の開閉状態を検出する窓開閉検出手段２、及び／又は、人の在／不在を検出する人感検出手段３と、窓開閉検出手段及び／又は人感検出手段を制御するセンサー制御手段６と、空調機器情報記憶手段に記憶された稼動スケジュールに従って、空調機器を、窓開閉検出手段及び／又は人感検出手段の検出結果に基づいて制御する空調機器制御手段７と、を備え、センサー制御手段は、空調機器情報記憶手段に記憶された稼動スケジュールにおける空調機器の稼動時間帯内であって、かつ、当該空調機器が稼動している場合に、窓開閉検出手段及び／又は人感検出手段を稼動させる。【選択図】図１
2014109420.tif 000002
【特許請求の範囲】
【請求項１】
空調機器の稼動スケジュールを予め記憶する空調機器情報記憶手段と、
窓の開閉状態を検出する窓開閉検出手段、及び／又は、人の在／不在を検出する人感検出手段と、
前記窓開閉検出手段及び／又は前記人感検出手段を制御するセンサー制御手段と、
前記空調機器情報記憶手段に記憶された稼動スケジュールに従って、前記空調機器を、前記窓開閉検出手段及び／又は前記人感検出手段の検出結果に基づいて制御する空調機器制御手段と、を備え、
前記センサー制御手段は、前記空調機器情報記憶手段に記憶された稼動スケジュールにおける前記空調機器の稼動時間帯内であって、かつ、当該前記空調機器が稼動している場合に、前記窓開閉検出手段及び／又は前記人感検出手段を稼動させることを特徴とする空調制御装置。
【請求項２】
複数の前記空調機器のそれぞれについて、その制御に必要な前記窓開閉検出手段及び／又は前記人感検出手段を予め記憶するセンサー情報記憶部を備え、
前記センサー制御手段は、前記空調機器情報記憶手段に記憶された稼動スケジュールにおける前記空調機器の稼動時間帯内であって、かつ、当該前記空調機器が稼動している場合に、前記センサー情報記憶部に記憶された情報に基づいて、当該前記空調機器の制御に必要な前記窓開閉検出手段及び／又は前記人感検出手段を稼動させることを特徴とする請求項１に記載の空調制御装置。
【請求項３】
前記センサー制御手段は、前記センサー情報記憶部に記憶された情報に基づいて、その制御に前記窓開閉検出手段及び／又は前記人感検出手段を必要とする全ての前記空調機器が停止された場合に、当該前記窓開閉検出手段及び／又は当該前記人感検出手段の稼動を停止させることを特徴とする請求項２に記載の空調制御装置。
【発明の詳細な説明】
【技術分野】
【０００１】
この発明は、空調制御装置に関するものである。
【背景技術】
【０００２】
従来における空調制御装置においては、家庭内情報端末に接続された空調機器と、開閉センサー及び人感センサーとを備え、相互に通信・制御を行い、家庭内情報端末は、開閉センサー及び人感センサーの情報により空調機器を自動制御するものが知られている（例えば、特許文献１参照）。
【先行技術文献】
【特許文献】
【０００３】
【特許文献１】特開２００５−１７６００９号公報
【発明の概要】
【発明が解決しようとする課題】
【０００４】
このように、特許文献１に示された従来における空調制御装置は、開閉センサーにより検出した窓の開閉状態と人感センサーによる検出結果とに基づいて、空調機器を自動的に制御するものである。
【０００５】
しかしながら、このような従来の空調制御装置においては、空調機器の運転が停止されておりセンサーによる状態の検出が必要ない状況であってもセンサーが起動された状態が維持される。そして、このような不必要なセンサーの起動により余分な電力を消費し、電力消費量が増大してしまう。
【０００６】
この発明は、このような課題を解決するためになされたもので、空調機器の自動制御に用いるセンサーの不必要な起動を抑制して電力消費量を低減することができる空調制御装置を得るものである。
【課題を解決するための手段】
【０００７】
この発明に係る空調制御装置においては、空調機器の稼動スケジュールを予め記憶する空調機器情報記憶手段と、窓の開閉状態を検出する窓開閉検出手段、及び／又は、人の在／不在を検出する人感検出手段と、前記窓開閉検出手段及び／又は前記人感検出手段を制御するセンサー制御手段と、前記空調機器情報記憶手段に記憶された稼動スケジュールに従って、前記空調機器を、前記窓開閉検出手段及び／又は前記人感検出手段の検出結果に基づいて制御する空調機器制御手段と、を備え、前記センサー制御手段は、前記空調機器情報記憶手段に記憶された稼動スケジュールにおける前記空調機器の稼動時間帯内であって、かつ、当該前記空調機器が稼動している場合に、前記窓開閉検出手段及び／又は前記人感検出手段を稼動させる構成とする。
【発明の効果】
【０００８】
この発明に係る空調制御装置においては、空調機器の自動制御に用いるセンサーの不必要な起動を抑制して電力消費量を低減することができるという効果を奏する。
【図面の簡単な説明】
【０００９】
【図１】この発明の実施の形態１に係る空調制御装置の全体構成を示すブロック図である。
【図２】この発明の実施の形態１に係る空調制御装置の空調起動時の動作を示すフロー図である。
【図３】この発明の実施の形態１に係る空調制御装置の空調停止時の動作を示すフロー図である。
【発明を実施するための形態】
【００１０】
この発明を添付の図面に従い説明する。各図を通じて同符号は同一部分又は相当部分を示しており、その重複説明は適宜に簡略化又は省略する。
【００１１】
実施の形態１．
図１から図３は、この発明の実施の形態１に係るもので、図１は空調制御装置の全体構成を示すブロック図、図２は空調制御装置の空調起動時の動作を示すフロー図、図３は空調制御装置の空調停止時の動作を示すフロー図である。
【００１２】
図１において、図示しない部屋内には、空調機器１が設置されている。この空調機器１は、当該部屋内の空気の環境（温度・湿度・空気清浄度等）を調和・調整するための機器である。
【００１３】
当該部屋には、外部との換気や採光等の目的で、窓（図示せず）が１つ以上設けられている。各窓には扉が開閉自在に設けられている。また、各窓には、窓の扉の開閉状態を検出する窓開閉センサー２がそれぞれ取り付けられている。窓開閉センサー２は、窓の扉の開閉状態に応じた検出信号を出力する。
【００１４】
また、当該部屋には、当該部屋内にいる人間を検出する人感センサー３が設けられている。人感センサー３は当該部屋に少なくとも１つは設けられる。当該部屋内において人がいるおおよその位置を検出するため、及び／又は、当該部屋内において人を検出可能な範囲を広げるため等の目的で、人感センサー３を複数設けるようにすることもできる。人感センサー３は、当該部屋内の人の在／不在状態に応じた検出信号を出力する。
【００１５】
空調機器１並びに窓開閉センサー２及び人感センサー３の動作は、制御装置本体４により制御される。この制御装置本体４は、空調機器１の稼動スケジュールの設定データ等を記憶する記憶部５、窓開閉センサー２及び人感センサー３の動作を制御するセンサー制御部６、並びに、空調機器１の動作を制御する空調機器制御部７を備えている。
【００１６】
記憶部５は、空調機器情報記憶部５ａ及びセンサー情報記憶部５ｂを備えている。空調機器情報記憶部５ａは、制御装置本体４の制御対象である空調機器１に関する情報を予め記憶する。具体的には、空調機器情報記憶部５ａは、空調機器１を稼動させる時間帯が設定されたスケジュールデータを予め記憶している。このスケジュールデータは、制御装置本体４が制御対象とする空調機器１が複数ある場合には、それぞれの空調機器１毎に設定され、それぞれの空調機器１に対応付けられた状態で空調機器情報記憶部５ａに記憶される。
【００１７】
また、空調機器情報記憶部５ａに予め記憶される情報としては、スケジュールデータの他にも、例えば、部屋内に複数の空調機器１がある場合には、それぞれの空調機器１の設置箇所に関する情報、及び、制御装置本体４の制御対象が複数の部屋にわたっている場合には、それぞれの部屋内に設置された空調機器１に関する情報等がある。
【００１８】
センサー情報記憶部５ｂは、空調機器１の自動制御に用いる窓開閉センサー２及び人感センサー３に関する情報を予め記憶する。具体的には、センサー情報記憶部５ｂは、窓開閉センサー２及び人感センサー３の設置箇所に関する情報を記憶している。また、特に、制御装置本体４の制御対象である空調機器１が複数あり、かつ、窓開閉センサー２及び人感センサー３の少なくとも一方が複数ある場合には、センサー情報記憶部５ｂは、それぞれの空調機器１の制御に利用する窓開閉センサー２及び／又は人感センサー３を、各空調機器１に対応付けて記憶する。
【００１９】
センサー制御部６は、記憶部５に記憶された情報に基づいて、窓開閉センサー２及び人感センサー３の動作を制御する。センサー制御部６は、空調機器情報記憶部５ａに記憶されている空調機器１のスケジュールデータを参照する。稼動開始予定時刻となる空調機器１があった場合には、当該空調機器１の運転制御に必要な窓開閉センサー２及び人感センサー３の情報をセンサー情報記憶部５ｂから取得する。そして、必要な窓開閉センサー２及び人感センサー３を起動し、これらのセンサーによる窓開閉状態と人の在／不在状態の検出を可能とする。センサー制御部６は、窓開閉センサー２及び人感センサー３から出力された検出信号を処理し、空調機器制御部７へと送る。
【００２０】
また、センサー制御部６は、空調機器情報記憶部５ａに記憶されている空調機器１のスケジュールデータを参照し、稼動停止予定時刻となる空調機器１があった場合には、当該空調機器１の運転制御に必要な窓開閉センサー２及び人感センサー３の稼動すなわち検出動作を停止する。
【００２１】
さらに、また、センサー制御部６は、後述する空調機器制御部７による空調機器１の運転制御の結果、ある窓開閉センサー２及び／又は人感センサー３について、当該センサーの検出結果をその制御に用いている全ての空調機器１の運転が停止された場合には、当該センサーの稼動すなわち検出動作を停止する。
【００２２】
空調機器制御部７は、記憶部５に記憶された情報とセンサー制御部６からの情報とに基づいて、空調機器１を制御する。センサー制御部６は、空調機器情報記憶部５ａに記憶されている空調機器１のスケジュールデータを参照する。そして、稼動開始予定時刻となる空調機器１があった場合には、当該空調機器１の運転を開始する。
【００２３】
当該空調機器１の運転中においては、空調機器制御部７は、センサー制御部６から送られてくる窓開閉センサー２及び人感センサー３の検出結果に基づいて、当該空調機器１の運転状態を制御する。
【００２４】
具体的に例えば、当該空調機器１の風向を人感センサー３により検出された人の位置に応じて変化させる。あるいは、設定されたスケジュールでは運転が予定されている時間帯であっても、人感センサー３の検出結果から当該部屋内に人が不在であると判断される場合には当該空調機器１の運転を停止する。あるいは、当該空調機器１の運転が開始された後、一定時間以上継続して窓が開けられている状態を窓開閉センサー２により検出した場合には当該空調機器１の運転を停止する。
【００２５】
また、空調機器制御部７は、空調機器情報記憶部５ａに記憶されている空調機器１のスケジュールデータを参照し、稼動停止予定時刻となる空調機器１があった場合には、当該空調機器１の運転を停止する。
【００２６】
図２のフロー図は、空調制御装置の空調機器１の起動時の動作を示すものである。
まず、センサー制御部６は、空調機器情報記憶部５ａに記憶されている空調機器１のスケジュールデータを参照する。そして、稼動開始予定時刻となる空調機器１があった場合には、ステップＳ１において、当該空調機器１の運転制御に必要な窓開閉センサー２及び人感センサー３の情報（センサー情報）をセンサー情報記憶部５ｂから取得する。
【００２７】
続くステップＳ２において、センサー制御部６は、ステップＳ１で取得したセンサー情報に基づいて、必要な窓開閉センサー２及び人感センサー３を稼動させる。そして、ステップＳ３へと進み、センサー制御部６は、必要な窓開閉センサー２及び人感センサー３の全てが稼動したか否かを確認する。必要な窓開閉センサー２及び人感センサー３の全てが稼動していない場合には、ステップＳ２へと戻り、センサーの起動を続ける。
【００２８】
ステップＳ３において、必要な窓開閉センサー２及び人感センサー３の全てが稼動したことが確認された場合には、ステップＳ４へと進む。このステップＳ４においては、センサー制御部６は、ステップＳ２で起動された窓開閉センサー２の検出信号に基づいて、窓の開閉状態を取得する。続くステップＳ５においては、センサー制御部６は、ステップＳ２で起動された人感センサー３の検出信号に基づいて、人の在／不在状態を取得する。
【００２９】
そして、ステップＳ６へと進み、空調機器制御部７は、ステップＳ４及びＳ５でセンサー制御部６により取得された窓の開閉状態及び人の在／不在状態に基づいて、空調機器１を制御する。こうして、空調機器１の起動時の一連の処理は終了する。
【００３０】
また、図３のフロー図は、空調制御装置の空調機器１の停止時の動作を示すものである。
まず、空調機器１の運転時においては、センサー制御部６は、人感センサー３の検出信号に基づいて、人の在／不在状態を取得している（ステップＳ１１）。そして、ステップＳ１２において、空調機器制御部７は、ステップＳ１１でセンサー制御部６により取得された人の在／不在状態に基づいて、空調機器１の運転を制御している。
【００３１】
次に、ステップＳ１３へと進み、空調機器制御部７又はセンサー制御部６は、ステップＳ１２での空調機器１の運転制御の結果、部屋内の全ての空調機器１の運転が停止したか否かを確認する。部屋内において１つでも運転中の空調機器１があった場合には、ステップＳ１１へと戻り、センサーの検出結果に基づく空調機器１の運転制御を継続する。
【００３２】
一方、ステップＳ１３において、部屋内の全ての空調機器１の運転が停止したことが確認された場合には、ステップＳ１４へと進む。このステップＳ１４においては、センサー制御部６は、記憶部５のセンサー情報記憶部５ｂから、ステップＳ１３において運転が停止したことが確認された空調機器１の運転制御に利用されていた人感センサー３の情報を取得する。
【００３３】
続くステップＳ１５において、センサー制御部６は、ステップＳ１４で取得したセンサー情報に基づいて、人感センサー３を停止させる。そして、ステップＳ１６へと進み、センサー制御部６は、全ての人感センサー３が停止したか否かを確認する。全ての人感センサー３が停止していない場合には、ステップＳ１５へと戻り、センサーの停止を続ける。
【００３４】
そして、ステップＳ１６において、全ての人感センサー３が停止したことが確認された場合には、空調機器１の停止時の一連の処理は終了する。
【００３５】
なお、以上においては、窓開閉センサー２及び人感センサー３の双方が設けられている場合について説明した。この点については、窓開閉センサー２及び人感センサー３の一方のみが設けられている場合についても、同様にして窓開閉センサー２及び人感センサー３の一方のみの検出結果を用いて空調機器１の制御を行うとともに、センサーの動作を制御することができる。
【００３６】
以上のように構成された空調制御装置は、空調機器の稼動スケジュールを予め記憶する空調機器情報記憶手段と、窓の開閉状態を検出する窓開閉検出手段である窓開閉センサー２、及び／又は、人の在／不在を検出する人感検出手段である人感センサー３と、窓開閉検出手段及び／又は人感検出手段を制御するセンサー制御手段と、空調機器情報記憶手段に記憶された稼動スケジュールに従って、空調機器を、窓開閉検出手段及び／又は人感検出手段の検出結果に基づいて制御する空調機器制御手段と、を備えている。
【００３７】
そして、センサー制御手段は、空調機器情報記憶手段に記憶された稼動スケジュールにおける空調機器の稼動時間帯内であって、かつ、当該空調機器が稼動している場合に、窓開閉検出手段及び／又は人感検出手段を稼動させる。このため、不必要な窓開閉検出手段(窓開閉センサー２)や人感検出手段(人感センサー３)の稼動を抑制し、センサーにより消費される電力量を削減することができる。
【００３８】
また、複数の空調機器のそれぞれについて、その制御に必要な窓開閉検出手段及び／又は人感検出手段を予め記憶するセンサー情報記憶部を備えた上で、センサー制御手段は、空調機器情報記憶手段に記憶された稼動スケジュールにおける空調機器の稼動時間帯内であって、かつ、当該空調機器が稼動している場合に、センサー情報記憶部に記憶された情報に基づいて、当該空調機器の制御に必要な窓開閉検出手段及び／又は人感検出手段を稼動させるようにすることで、必要最低限のセンサーの稼動で済ませることができ、さらなる省エネルギー効果を期待することができる。
【００３９】
さらに、センサー制御手段は、センサー情報記憶部に記憶された情報に基づいて、その制御に窓開閉検出手段及び／又は人感検出手段を必要とする全ての空調機器が停止された場合に、当該窓開閉検出手段及び／又は当該人感検出手段の稼動を停止させることで、より確実に不必要な窓開閉検出手段(窓開閉センサー２)や人感検出手段(人感センサー３)の稼動を抑制することができる。
【符号の説明】
【００４０】
１  空調機器、  ２  窓開閉センサー、  ３  人感センサー、  ４  制御装置本体、  ５  記憶部、  ５ａ  空調機器情報記憶部、  ５ｂ  センサー情報記憶部、  ６  センサー制御部、  ７  空調機器制御部。
【図１】
2014109420.tif 000003
【図２】
2014109420.tif 000004
【図３】
2014109420.tif 000005